(57)【要約】      （修正有）【課題】構造が単純で、低い生産コスト等の明確な優位性があるタッチ機能を有する映写幕を提供する。【解決手段】映写幕１１と、映写幕に貼り付けていて、かつ映写幕の投影表示区域に対向して設けるタッチパネル１２と、タッチパネル１２及び外部の電子装置２に電気接続する制御処理回路１３と、を含み、電子装置２は外部の投影装置３を通じて、ビデオ映像を映写幕１１の投影表示区域に投影及び表示し、タッチ挙動が映写幕とタッチパネルにかかった場合、制御処理回路はこれを検出して係るタッチ挙動を識別した上、電子装置２に通知すると共に、タッチ挙動に基づき、ビデオ映像を変化または調節する。映写幕１１を巻き上げるため、制御処理回路１３が収納されているスクリーン収納ケース１４を更に含む。【選択図】図２
0003203140.tif 000002
【実用新案登録請求の範囲】
【請求項１】
タッチ機能を有する映写幕であって、
映写幕と、
前記映写幕に貼り付けていて、かつ前記映写幕の投影表示区域に対向して設けるタッチパネルと、
前記タッチパネル及び外部の電子装置に電気接続する制御処理回路と、を含み、
前記電子装置は外部の投影装置を通じて、ビデオ映像を前記映写幕の前記投影表示区域に投影及び表示し、タッチ挙動が前記映写幕と前記タッチパネルにかかった場合、前記制御処理回路はこれを検出して係るタッチ挙動を識別した上、電子装置に通知すると共に、タッチ挙動に基づき、ビデオ映像を変化または調節することを特徴とする、
タッチ機能を有する映写幕。
【請求項２】
前記映写幕を巻き上げるため、前記制御処理回路が収納されているスクリーン収納ケースを更に含むことを特徴とする、請求項１記載のタッチ機能を有する映写幕。
【請求項３】
前記映写幕の背面は、前記映写幕を目的の投影区域に付着させるため、少なくとも一つの付着層を有することを特徴とする、請求項１記載のタッチ機能を有する映写幕。
【請求項４】
前記制御処理回路は少なくとも、前記タッチパネルに電気接続して、前記タッチパネルに対するタッチ挙動を検出することによって、タッチ挙動の検出信号を出力する検出ユニットと、前記検出ユニットに電気接続してタッチ挙動の検出信号を受信して、タッチ挙動検出信号を通じて、タッチ挙動を識別する制御処理ユニットと、前記制御処理ユニット及び前記電子装置と電気接続する通信接続ユニットと、を含むことを特徴とする、請求項１記載のタッチ機能を有する映写幕。
【請求項５】
前記電子装置は、デスクトップコンピュータ、ノートパソコン、タブレット型コンピュータまたは携帯電話機のいずれかの一つであることを特徴とする、請求項１記載のタッチ機能を有する映写幕。
【請求項６】
前記タッチパネルは、可撓性電子回路板と、前記可撓性電子回路板の上に配置する金属または非金属導電回路の誘導回路層と、前記誘導回路層を覆う保護層と、を含み、前記誘導回路層は導電酸化物、ナノ銀、ナノカーボンチューブまたはグラフェンからなることを特徴とする、請求項１記載のタッチ機能を有する映写幕。
【請求項７】
前記タッチパネルは、上面と下面を有する電子回路板と、前記電子回路板の上面に形成する第１誘電体層と、前記第１誘電体層の上に形成する第１金属層と、前記第１金属層の上に形成する第１反射防止層と、を含み、前記第１誘電体層と、前記第１金属層と、前記第１反射防止層によって、第１金属網格子をその上面に形成することを特徴とする、請求項１記載のタッチ機能を有する映写幕。
【請求項８】
前記映写幕の上には、前記投影表示区域を巡らせたフレーム区域を更に設計し、前記映写幕が繰り返しの巻き戻しと巻きおろしによって巻き上げられることを防ぐため、前記フレーム区域の上にフレーム押さえ具を設けていることを特徴とする、請求項２記載のタッチ機能を有する映写幕。
【請求項９】
前記映写幕は底部引き棒に接続していることを特徴とする、請求項２記載のタッチ機能を有する映写幕。
【請求項１０】
前記付着層は磁石または繰り返し使用可能な接着剤であり、かつ投影目標区域は壁表面またはホワイトボードであることを特徴とする、請求項３記載のタッチ機能を有する映写幕。
【請求項１１】
前記底部引き棒は固定ブラケットに接続して、前記映写幕を広げて安定させ、前記映写幕がタッチ挙動によって前後に揺れ動くこと避けることを特徴とする、請求項９記載のタッチ機能を有する映写幕。
【請求項１２】
前記通信接続ユニットは通信接続ユニットまたは通信接続ユニットのいずれか一つであることを特徴とする、請求項４記載のタッチ機能を有する映写幕。
【請求項１３】
前記タッチパネルは、前記電子回路板の下面に形成する第２誘電体層と、前記第２誘電体層の上に形成する第２金属層と、前記第２金属層の上に形成する第２反射防止層と、を含み、前記第２誘電体層と、前記第２金属層と、前記第２反射防止層によって、第２金属網格子をその下面に形成することを特徴とする、請求項７記載のタッチ機能を有する映写幕。
【請求項１４】
前記第１金属網格子と前記第２金属網格子の線幅は１ミクロン〜１５ミクロンであることを特徴とする、請求項１３記載のタッチ機能を有する映写幕。
【請求項１５】
前記電気回路板は、可撓性電子回路板であることを特徴とする、請求項１３記載のタッチ機能を有する映写幕。
【請求項１６】
前記第１誘電体層及び前記第２誘電体層の部材は、金属、金属酸化物または金属硫黄化物のいずれかであることを特徴とする、請求項１３記載のタッチ機能を有する映写幕。
【請求項１７】
前記第１反射防止層及び前記第２反射防止層の部材は、金属、金属酸化物または金属硫黄化物のいずれかであることを特徴とする、請求項１３記載のタッチ機能を有する映写幕。
【請求項１８】
前記第１金属層と前記第２金属層の部材は、銅または銀であることを特徴とする、請求項１３記載のタッチ機能を有する映写幕。
【請求項１９】
前記タッチパネルは、前記第１反射防止層を覆う第１保護層と、前記第２反射防止層を覆う第２保護層と、をさらに含み、前記第１保護層及び前記第２保護層の部材は、光学透明接着剤（Ｏｐｔｉｃａｌ  Ｃｌｅａｒ  Ａｄｈｅｓｉｖｅ，ＯＣＡ）であることを特徴とする、請求項１３記載のタッチ機能を有する映写幕。
【請求項２０】
前記タッチパネルは、前記電子回路板の上面と前記第１誘電体層との間に形成する第１付着層と、前記電子回路板の下面と前記第２誘電体層との間に形成する第２付着層と、をさらに含み、前記第１付着層及び前記第２付着層の部材は、金属、金属硫黄化物または金属酸化物であることを特徴とする、請求項１３記載のタッチ機能を有する映写幕。
【請求項２１】
前記可撓性電子回路板の部材は、ポリエチレン（Ｐｏｌｙｅｔｈｙｌｅｎｅ，  ＰＥ）、ポリエチレンテレフタレート（Ｐｏｌｙｅｔｈｙｌｅｎｅ  ｔｅｒｅｐｈｔｈａｌａｔｅ，ＰＥＴ）または三酢酸セルロース（Ｔｒｉ−ｃｅｌｌｕｌｏｓｅ  ａｃｅｔａｔｅ，ＴＡＣ）であることを特徴とする、請求項１５記載のタッチ機能を有する映写幕。
【請求項２２】
金属はニッケル（Ｎｉ）、チタン（Ｔｉ）、モリブデン（Ｍｏ）、クロム（Ｃｒ）、銅（Ｃｕ）、亜鉛（Ｚｎ）、錫（Ｓｎ）、コバルト（Ｃｏ）、バナジューム（Ｖ）いずれかの２種またはそれ以上の合金グループから選択することを特徴とする、請求項１６または請求項１７記載のタッチ機能を有する映写幕。
【考案の詳細な説明】
【技術分野】
【０００１】
本考案は対話型教学関連の分野に関し、特にタッチ機能を有する映写幕に関する。
【背景技術】
【０００２】
近年、対話型電子ホワイトボードは会議打ち合わせから教学デモに幅広く使用されるようになった。そのうち、中華民国の教育部（文部科学省に相当する官庁）は２００７年に「ＩＴを教学に溶け込ませるＩＴＣ計画」を提唱し、台湾の１５の県と市にある百以上の中学校と小学校による対話型電子ホワイトボードの導入を援助しており、教師らによる対話型電子ホワイトボードの使用をもって、教学効果の向上を図る。
【０００３】
図１の、公知の対話型電子ホワイトボードシステム構成図を参照する。図１に示すように、公知の対話型電子ホワイトボードシステム１’は、コンピュータ本体装置１１’と、投影装置１２’と、対話型電子ホワイトボード１３’と、タッチペン１４’と、を含む。そのうち、投影装置１２’と対話型電子ホワイトボード１３’はＶＧＡ接続ケーブルを介して、コンピュータ本体装置１１’に接続する。
これにより、前述した対話型電子ホワイトボードシステム１’によって、教学者または報告人は報告資料をあらかじめコンピュータ本体装置１１’に格納しておき、教学または報告するときに、投影装置１２’を用いて係る報告資料を対話型電子ホワイトボード１３’に投影することができるほか、さらに教学者または報告人はタッチペン１４’を使用し、対話型電子ホワイトボード１３’をタッチすることによって、対話型電子ホワイトボード１３’に字を書くか絵を描くなど、対話型の報告効果を達成する。
【考案の概要】
【考案が解決しようとする課題】
【０００４】
係る対話型電子ホワイトボードシステム１’は取り付け及び使用において便利であるという長所があるため、会議打ち合わせと教学デモに幅広く使用されている。そのうち、対話型電子ホワイトボードシステム１’に使用されている対話型電子ホワイトボード１３’は、赤外線検出方式、電磁検出方式、圧力検出式等いくつかのタイプに分けることができる。さらに、異なるタイプの対話型電子ホワイトボード１３’の作用方式も一様ではない。
【０００５】
（１）赤外線検出方式の対話型電子ホワイトボードは、ホワイトボードの周りに赤外線走査網を形成させるために、ホワイトボードの周りに複数の赤外線センサーを設置必要がある。その欠点として、タッチペンをホワイトボードへ精確に位置決めさせるには、特殊な仕様のホワイトボードを使用しなければならない。しかし、赤外線検出方式の対話型電子ホワイトボードの生産プロセスは極めて複雑なため、大きいサイズのホワイトボードを適用するには、かなりの生産コストが掛かってしまう。
【０００６】
（２）電磁検出方式対話型電子ホワイトボードは、ホワイトボードの内部に検出コイルを設け、かつ検出ペンを使用しており、検出コイルと、検出ペンと相互に信号交換によって、ホワイトボードに検出ペンの精確な位置決めを実現する。同じく、電磁検出方式対話型電子ホワイトボードの生産プロセスは極めて複雑なため、大きいサイズのホワイトボードを適用するには、かなりの生産コストが掛かってしまう。
【０００７】
（３）圧力検出方式の対話型電子ホワイトボードは、ホワイトボードの内部に抵抗フイルムと、導電性フイルムとを設けられている。そのうち、タッチペンまたは指をホワイトボードにタッチすると、タッチされた場所の導電性フイルムが抵抗フイルムに接触して電子信号を形成し、電子信号を通じて係るタッチペンまたは指がホワイトボード上の位置を精確に位置決めする。以上に述べたとおり、圧力検出方式対話型電子ホワイトボードの生産プロセスも簡単ではなく、大きいサイズのホワイトボードに適用する場合は、かなりの生産コストが掛かってしまうである。
【０００８】
（４）前述いずれかの対話型電子ホワイトボード１３’も、体積が大きすぎて携行や移動が不便なため、対話型教学業者は、対話型電子ホワイトボード１３’をそれぞれ教学場所に設置する必要がある。そのため、対話型対話型教学業者の投資コストが非常に大きい。
【課題を解決するための手段】
【０００９】
前述各タイプの対話型電子ホワイトボード１３’の作用方式の説明から、公知の対話型電子ホワイトボードシステム１’において、最大の欠点は対話型電子ホワイトボード１３’複雑な生産プロセスと、製造コストが高い点にあることが分かる。そのため、本案の考案人が研究を続けた結果、本考案のタッチ機能を有する映写幕を考案し、公知技術の対話型電子ホワイトボードシステム１’の欠点と不足の解決を図る。
【００１０】
本考案の主な目的は、タッチ機能を有する映写幕を提供することである。透明または不透明導電性構造を直接に映写幕に貼り付けることによって、タッチ機能を有する映写幕を構成する。公知の対話型電子ホワイトボード（赤外線検出方式、電磁検出方式または圧力検出式）に比べて、本考案のタッチ機能を有する映写幕は構造が単純、低い生産コスト等の明確な優位性がある。このほか、本考案のタッチ機能を有する映写幕の構造はすべて可撓性部材により仕上げるため、スクリーン収納ケースに巻きつけることが可能であり、さらに、スクリーン収納ケースに巻きつけて収納した映写幕も簡単に携帯及び移動できる。
【考案の効果】
【００１１】
以上は本考案のタッチ機能を有する映写幕を完全、かつ明確に開示しており、かつ以上の説明より、本考案が以下の長所を有する事がわかる。
【００１２】
（１）本考案は、透明または不透明な導電性構造（すなわち、タッチパネル１２）を直接映写幕１１に貼り付けて、タッチ機能を有する映写幕１を構成する。公知の対話型電子ホワイトボード（赤外線検出方式、電磁検出方式または圧力検出式）に比べて、本考案のタッチ機能を有する映写幕１は構造が単純、低い生産コスト等の明白な優位性がある。
【００１３】
（２）このほか、本考案のタッチ機能を有する映写幕１の構造はすべて可撓性部材より仕上げるため、スクリーン収納ケース１４を用いて巻きつけることが可能であり、さらに、スクリーン収納ケース１４に巻きつけた映写幕も簡単に携帯及び移動できる。
【００１４】
ここで補足説明することは、図５の映写幕１１はスクリーン収納ケース１４と互いに接続しているが、これは本考案の実施例を制限するものではない。引き続き図１０の、本考案のタッチ機能を有する映写幕の第３応用例を示す図を参照する。
図１０に示すように、映写幕１１を例えばポスターの態様に仕上げて、かつスクリーン収納ケース１４を係る映写幕１１を収納するのみに使用する。このほか、映写幕１１の背面に付着層１８を更に設けて、映写幕１１を目的の投影区域に付着させることができる。図に示すように、係る付着層１８は係る映写幕１１の背面の縁部にそって設けられている。そのうち、付着層１８は磁石または繰り返し使用可能な接着剤を実施する。
【００１５】
特に説明することは、図１０において、係る付着層１８は枠型の付着層だが、あくまでも付着層１８を示す一つの実施態様にすぎず、実務応用において、付着層１８の実施態様は、一対の磁石かまたは一対の接着シートであっても良い。このような設計は、仮に係る目的投影区域がホワイトボードまたは壁表面の場合、係る映写幕１１は付着層１８を介して係るホワイトボードまたは係る壁表面に貼り付けられる。よって、本考案のタッチ機能を有する映写幕１の第３応用例において、係る映写幕１１とスクリーン収納ケース１４は分離して設計されているため、タッチ機能を有する映写幕１使用の利便性が向上される。
【図面の簡単な説明】
【００１６】
【図１】公知技術の対話型電子ホワイトボードシステム構成図である。
【図２】タッチ機能を有する映写幕の立体図である。
【図３】スクリーン収納ケース、映写幕、タッチパネル及び制御処理回路の概略平面図である。
【図４】制御処理回路の電気回路ブロック図である。
【図５】タッチ機能を有する映写幕の第２応用例を示す図である。
【図６】タッチパネルの概略見下ろし図である。
【図７】タッチパネルの第１実施例による構成図である。
【図８】タッチパネルの第２実施例による構成図である。
【図９】タッチパネルの第３実施例による構成図である。
【図１０】タッチ機能を有する映写幕の第３応用例を示す図である。
【考案を実施するための形態】
【００１７】
本考案のタッチ機能を有する映写幕をより詳しく説明するため、図面と合わせて好ましい実施例を以下のとおり詳細説明する。
【実施例】
【００１８】
図２の、本考案のタッチ機能を有する映写幕の立体図を参照する。
図２に示すように、タッチ機能を有する映写幕１は主に、映写幕１１と、タッチパネル１２と、制御処理回路１３と、を含む。そのうち、映写幕１１はスクリーン収納ケース１４に巻きつけられていて、かつ制御処理回路１３もスクリーン収納ケース１４の内部に収納されている。
【００１９】
図２を引き続き参照し、図３の、スクリーン収納ケース１４と、映写幕１１と、タッチパネル１２と、制御処理回路１３の概略平面図を合わせて参照する。
図に示すように、タッチパネル１２が映写幕１１に貼り付けられていて、かつ映写幕１１の投影表示区域１１１に対向して設置されている。さらに、制御処理回路１３はタッチパネル１２及び外部の電子装置２に電気接続している。そのうち、電子装置２は外部の投影装置３を通じて、ビデオ映像を映写幕１１の投影表示区域１１１に投影及び表示される。このとき、映写幕１１とタッチパネル１２にタッチ挙動をなされた場合、制御処理回路１３はこれを検出して係るタッチ挙動を識別した上、電子装置２に通知すると共に、タッチ挙動に基づき、ビデオ映像を変化または調節する。ここで言うタッチ挙動は例えば、拡大、縮小、クリック選択、またはドラッグを指す。
【００２０】
引き続き図２と図３を参照すると同時に、図４の、制御処理回路１３の電気回路ブロック図を合わせて参照する。
図に示すように、制御処理回路１３は少なくとも検出ユニット１３１と、制御処理ユニット１３２と、通信接続ユニット１３３の電気ブロックを含む。そのうち、検出ユニット１３１はタッチパネル１２に電気接続していて、タッチパネル１２のタッチ挙動を検出して、タッチ挙動の検出信号を出力する。さらに、係るタッチ挙動検出信号を受信した後、係る制御処理ユニット１３２は更にタッチ挙動検出信号を処理、解析して、係るタッチ挙動の種類を識別する（拡大、縮小、クリック選択、またはドラッグ）。最後に、制御処理ユニット１３２は係る通信接続ユニット１３３を介して電子装置２に通知し、電子装置２はただちに係るタッチ挙動に従い、係るビデオ映像を変化または調節する。
【００２１】
図２に示す電子装置２はコンピュータ本体装置を例示しているが、しかし、図４に示すように、消費電子製品は多様化しており、本考案の電子装置２はノートパソコン、タブレット型パソコンまたは携帯電話機であっても良い。想像できるように、制御処理回路１３の通信接続ユニット１３３は例えば、有線方式の通信接続ユニットまたは無線方式の通信接続ユニットであっても良い。そのうち、有線方式の通信接続ユニットは例えば、ビデオ接続ケーブルまたは無線ＵＳＢ（Ｗｉｒｅｌｅｓｓ  Ｕｎｉｖｅｒｓａｌ  Ｓｅｒｉａｌ  Ｂｕｓ，  ＵＳＢ）接続ケーブルを実施できる。このほかに、無線方式の通信接続ユニットは比較的に多元化しており、例えばブルートゥース（登録商標）無線ユニット、Ｚｉｇｂｅｅ（登録商標）無線ユニット、ＷｉＦｉ（登録商標）無線ユニットまたは近距離無線通信ユニット（Ｎｅａｒ  Ｆｉｅｌｄ  Ｃｏｍｍｕｎｉｃａｔｉｏｎ，  ＮＦＣ）を実施できる。
【００２２】
引き続き図５の、タッチ機能を有する映写幕の第２応用例を示す図を参照する。
図５に示すように、前述電子装置２が携行式電子製品（例えば、携帯電話機）の場合は、係る電子装置２に接続する投影装置３を微型投影機に置き換えても良い。このとき、携帯電話機（すなわち、電子装置２）には、ブルートゥース無線ユニット、Ｚｉｇｂｅｅ無線ユニット、ＷｉＦｉ無線ユニットまたは近距離無線通信ユニットを介して、スクリーン収納ケース１４内部に設置した制御処理回路１３と通信接続を実現できる。そのうち、携帯電話機（すなわち、電子装置２）は前述した微型投影機を通じて、ビデオ映像を映写幕１１の投影表示区域１１１に投影及び表示される。このとき、映写幕１１とタッチパネル１２がタッチ挙動をなされた場合、スクリーン収納ケース１４内部の制御処理回路１３はこれを検出して係るタッチ挙動を識別した上、電子装置２に通知すると共に、タッチ挙動に基づき、ビデオ映像を変化または調節する。
【００２３】
ここで補足説明しなければならないことは、使用者がスクリーン収納ケース１４の中より係る映写幕１１を取り出す（または引き出す）際の便利を図るため、図２と図５に示す映写幕１１は、使用者が映写幕１１をスクリーン収納ケース１４から巻き戻すのを便利にするため、底部引き棒１６が更に設けられている。
この他、図２と図３に示すように、映写幕１１に投影表示区域１１１を巡らすフレーム区域１１２がさらに設計されている。また、フレーム押さえ具１５をフレーム区域１１２に設けて、係る映写幕１１が繰り返しの巻きおろしや巻き戻しにより、巻き上がることを防いで置く。
さらに、図３と図５に示すように、係る底部引き棒１６をさらに固定ブラケット１７に接続し、固定ブラケット１７によって底部引き棒１６を所定の高さに固定しておく、この方式により、係る映写幕１１を広げて安定させ、映写幕１１がタッチ挙動によって、前後に揺れる動きを避けて、投影装置３が投影するビデオ映像を映写幕１１へ安定的に投影される。
【００２４】
ここまでは、本考案のタッチ機能を有する映写幕の主な構成品及びその機能性を説明した。引き続き、タッチパネル１２の詳細構成を以下に説明する。図６の、タッチパネル１２タッチパネルの概略見下ろし図（ｓｃｈｅｍａｔｉｃ  ｔｏｐ  ｖｉｅｗ）を参照し、図７の、タッチパネル１２の第１実施例による構成図を併わせて参照する。
図６と図７に示すように、タッチパネル１２は透明または不透明な導電性構造より形成されていて、かつ電子回路板１２１と電子回路板１２１の上面に形成する第１誘電体層１２２と、第１誘電体層１２２の上に形成する第１金属層１２３と、第１金属層１２３の上に形成する第１反射防止層１２４と、電子回路板１２１の下面に形成する第２誘電体層１２２ａと、第２誘電体層１２２ａの上に形成する第２金属層１２３ａと、第２金属層１２３ａの上に形成する第２反射防止層１２４ａと、を含む。そのうち、第１誘電体層１２２と、第１金属層１２３と、第１反射防止層１２４とでその上面に第１金属格子１２Ａを形成していて、かつ第２誘電体層１２２ａと、第２金属層１２３ａと、第２反射防止層１２４ａとでその下面に第２金属格子１２Ｂを形成する。
【００２５】
引き続き、前述第１金属格子１２Ａを横方向に延在し、第２金属格子１２Ｂを縦方向に延在することによって、第１金属格子１２Ａの複数の金属リードワイヤ及び第２金属格子１２Ｂの複数の金属リードワイヤと互いに交差する矩形格子状構造を構成する（図６に示す）。
さらに、第１金属格子１２Ａの金属リードワイヤ及び第２金属格子１２Ｂの金属リードワイヤの線幅とも１ミクロン（μｍ）〜１５ミクロンのため、これらの微小な金属リードワイヤによって、干渉縞（ｉｎｔｅｒｆｅｒｅｎｃｅ  ｆｒｉｎｇｅｓ）等例えば、いわゆるモレア効果（Ｍｏｉｒｅ  ｅｆｆｅｃｔ）の光学現象を有効に防止できる。本考案において、第１金属格子１２Ａの金属リードワイヤと、第２金属格子１２Ｂの金属リードワイヤの線幅の好ましい実施例は１μｍ〜１０μｍとする。
【００２６】
ここで特に説明することは、本考案は主にタッチパネル１２を映写幕１１に貼り付ける方式によって、映写幕１１にタッチ機能が形成されている。よって、タッチパネル１２の電子回路板１２１は例えば、ポリエチレン（Ｐｏｌｙｅｔｈｙｌｅｎｅ，  ＰＥ）、ポリエチレンテレフタレート（Ｐｏｌｙｅｔｈｙｌｅｎｅ  ｔｅｒｅｐｈｔｈａｌａｔｅ，ＰＥＴ）または三酢酸セルロース（Ｔｒｉ−ｃｅｌｌｕｌｏｓｅ  ａｃｅｔａｔｅ，ＴＡＣ）の可撓性電子回路板でなければならない。
【００２７】
図７からわかるように、第１金属格子１２Ａは、第１誘電体層１２２と、第１金属層１２３と、第１反射防止層１２４より構成し、第２金属格子１２Ｂは第２誘電体層１２２ａと、第２金属層１２３ａと、第２反射防止層１２４ａより構成する。そのうち、第１金属層１２３と、第２金属層１２３ａの部材は銅であり、その厚さおよそ０．２μｍ〜３．０μｍである。銅の抵抗率は、およそ１．６７８×１０−６Ω・ｃｍであり、他の非金属の透明導電性部材（例えばナノカーボンチューブ）よりはるかに低い。そのため、銅金属を光透過率が８５％以上の薄い導電層に仕上げることによって、透明導電構造を形成する。
前述した物理基礎に基づき、本考案は銅からなる第１金属層１２３と、第２金属層１２３ａとをそれぞれ電子回路板１２１の上面と下面に形成した上、第１金属層１２３と第２金属層１２３ａとを電子回路板１２１に対向設置して、銅格子構造を形成する。このように、光線は銅格子構造の矩形格子穴を介して電子回路板１２１を透過することによって、銅格子構造と電子回路板１２１に極めて高い光透過率を形成する。
【００２８】
本考案において、第１誘電体層１２２と第２誘電体層１２２ａの部材は例えば、金属、酸素を含む金属化合物または硫黄を含む金属化合物であっても良い。その厚さはおよそ１ｎｍ〜２００ｎｍとする。特に注意すべきことは、係る酸素または硫黄を含む金属化合物は、酸素分子、酸素原子または硫黄原子を金属部材にドーブさせたものである。金属部材に酸素分子、酸素原子または硫黄原子をドーブすると、金属化合物の金属光沢を失って、青色、濃青色、濃い灰色または黒色の金属酸化物または金属硫黄化物が得られる。このように、電子回路板１２１と第１金属層１２３都の間に、青色、濃青色、濃い灰色または黒色の第１誘電体層１２２を追加設置しており、さらに、電子回路板１２１と、第２金属層１２３ａとの間に、青色、濃青色、濃い灰色または黒色の第２誘電体層１２２ａを追加設置している。
【００２９】
このほか、本考案において、第１反射防止層１２４と第２反射防止層１２４ａの部材は例えば、金属、酸素を含む金属化合物または硫黄を含む金属化合物であっても良い。その厚さおよそ５ｎｍ〜１０００ｎｍである。このように、光線が第１金属層１２３及び／または第２金属層１２３ａに出射したとき、第１反射防止層１２４及び／または第２反射防止層１２４ａが光を吸収して、光反射現象を取り消す。
【００３０】
引き続き図８の、タッチパネル１２の第２実施態様の構成図を参照する。
前記した図７に描かれていたタッチパネル１２の第１実施構成と違って、第２実施構成は、電子回路板１２１の上面と第１誘電体層１２２との間に形成する第１付着層１２６と、電子回路板１２１の下面と第２誘電体層１２２ａとの間に形成する第２付着層１２６ａを更に含む。さらに、第２実施構成は、第１反射防止層１２４を覆う第１保護層１２５と、第２反射防止層１２４ａを覆う第２保護層１２５ａを更に含む。
そのうち、第１付着層１２６と第２付着層１２６ａの部材は例えば、金属、金属硫黄化物または金属酸化物であり、かつその厚さは１  ｎｍ〜２００ｎｍであっても良い。さらに、第１保護層１２５と第２保護層１２５ａの部材は厚さがおよそ１０μｍ〜１００μｍの光学透明接着剤（ｏｐｔｉｃａｌ  ｃｌｅａｒ  ａｄｈｅｓｉｖｅ，ＯＣＡ）、例えば、透明アクリル接着剤（ｃｌｅａｒ  ａｃｒｙｌｉｃ  ａｄｈｅｓｉｖｅ）であっても良い。
【００３１】
本考案の提供するタッチパネル１２（透明または不透明な導電性構造）の表面抵抗値は、およそ０．０１Ω／□〜１Ω／□、一方、ケーブル抵抗値は２５０Ω以下である。よって、定かなことは、タッチパネル１２の表面抵抗値とケーブル抵抗値とも公知技術に使用していたＩＴＯを基材の表面抵抗値（約１００Ω／□〜４００Ω／□）と、ケーブル抵抗値（約１０，０００Ω〜５０，０００Ω）よりはるかに低い。そのため、本考案の提供するタッチパネル１２は、比較的に低い表面抵抗値と高い導電性を有しており、よって、本考案のタッチパネル１２を金属格子タッチ式電子回路板のタッチ式表示装置に適用すれば、より良いタッチ敏感度が得られる。
【００３２】
図７と図８にて、タッチパネル１２の実施態様を例示しているが、これをもって係るタッチパネル１２の可能な実施態様を制限すべきではない。図９の、タッチパネル１２の第３実施構成の断面図を参照する。
図９に示すように、実際に製造及び応用する際、係るタッチパネル１２は可撓性電子回路板１２１ｂと、誘導回路層１２３ｂと、保護層１２４ｂより構成する。そのうち、係る誘導回路層１２３ｂを可撓性電子回路板１２１ｂに配置して置き、かつ保護層１２４ｂで誘導回路層１２３ｂを覆う。これにより、誘導回路層１２３ｂは導電性酸化物、ナノ銀、ナノカーボンチューブまたはグラフェンから金属または非金属導電回路を仕上げる。
【００３３】
特に強調したいことは、以上の詳細な説明は本考案の好ましい実施例に対する具体的な説明にすぎず、それらの実施例は本考案になんらの制限を加わえるものではない。本考案の技術精神に基づく等効果の応用又は変更は、すべて本考案の実用新案登録請求の範囲に含める。
【符号の説明】
【００３４】
１        タッチ機能を有する映写幕
１１      映写幕
１１１    投影表示区域
１１２    フレーム区域
１２      タッチパネル
１２Ａ    第１金属網格子
１２Ｂ    第２金属網格子
１２１    基板
１２１ｂ  可撓性電子回路板
１２２    第１誘電体層
１２２ａ  第２誘電体層
１２３    第１金属層
１２３ａ  第２金属層
１２３ｂ  誘導回路層
１２４    第１反射防止層
１２４ａ  第２反射防止層
１２４ｂ  保護層
１２５    第１保護層
１２５ａ  第２保護層
１２６    第１付着層
１２６ａ  第２付着層
１３      制御処理回路
１３１    検出ユニット
１３２    制御処理ユニット
１３３    通信接続ユニット
１４      スクリーン収納ケース
１５      フレーム押さえ具
１６      底部引き棒
１７      固定ブラケット
１８      付着層
２        電子装置
３        投影装置
１’      対話型電子ホワイトボードシステム
１１’    コンピュータ本体装置
１２’    投影装置
１３’    対話型電子ホワイトボードシステム
１４’    タッチペン
【図１】
0003203140.tif 000003
【図２】
0003203140.tif 000004
【図３】
0003203140.tif 000005
【図４】
0003203140.tif 000006
【図５】
0003203140.tif 000007
【図６】
0003203140.tif 000008
【図７】
0003203140.tif 000009
【図８】
0003203140.tif 000010
【図９】
0003203140.tif 000011
【図１０】
0003203140.tif 000012
【手続補正書】
【提出日】平成28年1月6日(2016.1.6)
【手続補正１】
【補正対象書類名】実用新案登録請求の範囲
【補正対象項目名】全文
【補正方法】変更
【補正の内容】
【実用新案登録請求の範囲】
【請求項１】
タッチ機能を有する映写幕であって、
映写幕と、
前記映写幕に貼り付けていて、かつ前記映写幕の投影表示区域に対向して設けるタッチパネルと、
前記タッチパネル及び外部の電子装置に電気接続する制御処理回路と、を含み、
前記電子装置は外部の投影装置を通じて、ビデオ映像を前記映写幕の前記投影表示区域に投影及び表示し、タッチ挙動が前記映写幕と前記タッチパネルにかかった場合、前記制御処理回路はこれを検出して係るタッチ挙動を識別した上、電子装置に通知すると共に、タッチ挙動に基づき、ビデオ映像を変化または調節することを特徴とする、
タッチ機能を有する映写幕。
【請求項２】
前記映写幕を巻き上げるため、前記制御処理回路が収納されているスクリーン収納ケースを更に含むことを特徴とする、請求項１記載のタッチ機能を有する映写幕。
【請求項３】
前記映写幕の背面は、前記映写幕を目的の投影区域に付着させるため、少なくとも一つの付着層を有することを特徴とする、請求項１記載のタッチ機能を有する映写幕。
【請求項４】
前記制御処理回路は少なくとも、前記タッチパネルに電気接続して、前記タッチパネルに対するタッチ挙動を検出することによって、タッチ挙動の検出信号を出力する検出ユニットと、前記検出ユニットに電気接続してタッチ挙動の検出信号を受信して、タッチ挙動検出信号を通じて、タッチ挙動を識別する制御処理ユニットと、前記制御処理ユニット及び前記電子装置と電気接続する通信接続ユニットと、を含むことを特徴とする、請求項１記載のタッチ機能を有する映写幕。
【請求項５】
前記電子装置は、デスクトップコンピュータ、ノートパソコン、タブレット型コンピュータまたは携帯電話機のいずれかの一つであることを特徴とする、請求項１記載のタッチ機能を有する映写幕。
【請求項６】
前記タッチパネルは、可撓性電子回路板と、前記可撓性電子回路板の上に配置する金属または非金属導電回路の誘導回路層と、前記誘導回路層を覆う保護層と、を含み、前記誘導回路層は導電酸化物、ナノ銀、ナノカーボンチューブまたはグラフェンからなることを特徴とする、請求項１記載のタッチ機能を有する映写幕。
【請求項７】
前記タッチパネルは、上面と下面を有する電子回路板と、前記電子回路板の上面に形成する第１誘電体層と、前記第１誘電体層の上に形成する第１金属層と、前記第１金属層の上に形成する第１反射防止層と、を含み、前記第１誘電体層と、前記第１金属層と、前記第１反射防止層によって、第１金属網格子をその上面に形成することを特徴とする、請求項１記載のタッチ機能を有する映写幕。
【請求項８】
前記映写幕の上には、前記投影表示区域を巡らせたフレーム区域を更に設計し、前記映写幕が繰り返しの巻き戻しと巻きおろしによって巻き上げられることを防ぐため、前記フレーム区域の上にフレーム押さえ具を設けていることを特徴とする、請求項２記載のタッチ機能を有する映写幕。
【請求項９】
前記映写幕は底部引き棒に接続していることを特徴とする、請求項２記載のタッチ機能を有する映写幕。
【請求項１０】
前記付着層は磁石または繰り返し使用可能な接着剤であり、かつ投影目標区域は壁表面またはホワイトボードであることを特徴とする、請求項３記載のタッチ機能を有する映写幕。
【請求項１１】
前記底部引き棒は固定ブラケットに接続して、前記映写幕を広げて安定させ、前記映写幕がタッチ挙動によって前後に揺れ動くこと避けることを特徴とする、請求項９記載のタッチ機能を有する映写幕。
【請求項１２】
前記通信接続ユニットは有線方式の通信接続ユニットまたは無線方式の通信接続ユニットのいずれか一つであることを特徴とする、請求項４記載のタッチ機能を有する映写幕。
【請求項１３】
前記タッチパネルは、前記電子回路板の下面に形成する第２誘電体層と、前記第２誘電体層の上に形成する第２金属層と、前記第２金属層の上に形成する第２反射防止層と、を含み、前記第２誘電体層と、前記第２金属層と、前記第２反射防止層によって、第２金属網格子をその下面に形成することを特徴とする、請求項７記載のタッチ機能を有する映写幕。
【請求項１４】
前記第１金属網格子と前記第２金属網格子の線幅は１ミクロン〜１５ミクロンであることを特徴とする、請求項１３記載のタッチ機能を有する映写幕。
【請求項１５】
前記電子回路板は、可撓性電子回路板であることを特徴とする、請求項１３記載のタッチ機能を有する映写幕。
【請求項１６】
前記第１誘電体層及び前記第２誘電体層の部材は、金属、金属酸化物または金属硫黄化物のいずれかであることを特徴とする、請求項１３記載のタッチ機能を有する映写幕。
【請求項１７】
前記第１反射防止層及び前記第２反射防止層の部材は、金属、金属酸化物または金属硫黄化物のいずれかであることを特徴とする、請求項１３記載のタッチ機能を有する映写幕。
【請求項１８】
前記第１金属層と前記第２金属層の部材は、銅または銀であることを特徴とする、請求項１３記載のタッチ機能を有する映写幕。
【請求項１９】
前記タッチパネルは、前記第１反射防止層を覆う第１保護層と、前記第２反射防止層を覆う第２保護層と、をさらに含み、前記第１保護層及び前記第２保護層の部材は、光学透明接着剤（Ｏｐｔｉｃａｌ  Ｃｌｅａｒ  Ａｄｈｅｓｉｖｅ，ＯＣＡ）であることを特徴とする、請求項１３記載のタッチ機能を有する映写幕。
【請求項２０】
前記タッチパネルは、前記電子回路板の上面と前記第１誘電体層との間に形成する第１付着層と、前記電子回路板の下面と前記第２誘電体層との間に形成する第２付着層と、をさらに含み、前記第１付着層及び前記第２付着層の部材は、金属、金属硫黄化物または金属酸化物であることを特徴とする、請求項１３記載のタッチ機能を有する映写幕。
【請求項２１】
前記可撓性電子回路板の部材は、ポリエチレン（Ｐｏｌｙｅｔｈｙｌｅｎｅ，  ＰＥ）、ポリエチレンテレフタレート（Ｐｏｌｙｅｔｈｙｌｅｎｅ  ｔｅｒｅｐｈｔｈａｌａｔｅ，ＰＥＴ）または三酢酸セルロース（Ｔｒｉ−ｃｅｌｌｕｌｏｓｅ  ａｃｅｔａｔｅ，ＴＡＣ）であることを特徴とする、請求項１５記載のタッチ機能を有する映写幕。
【請求項２２】
金属はニッケル（Ｎｉ）、チタン（Ｔｉ）、モリブデン（Ｍｏ）、クロム（Ｃｒ）、銅（Ｃｕ）、亜鉛（Ｚｎ）、錫（Ｓｎ）、コバルト（Ｃｏ）、バナジューム（Ｖ）いずれかの２種またはそれ以上の合金グループから選択することを特徴とする、請求項１６または請求項１７記載のタッチ機能を有する映写幕。